(57)【要約】 【課題】広告主の広告等の情報を発信するうえで、利便性の高い顧客提供機器および情報提供方法、また、広告料の配分システムを提供する。 【課題を解決するための手段】受け取り側は指定された画像と情報提供装置を利用することにより、顧客提供機器にある属性にて複数ある広告主の広告を自動的に関連付け、情報を見る事ができる。また、画像は複数でも認識し、会員は情報を観覧することにより、場所を提供した側と、受け取り側にインセンティブを発生させ分配するようにした。【選択図】  図４
2014203209.tif 000002
【特許請求の範囲】
【請求項１】
受け取り側の持つ顧客提供機器に、個人情報をもたせ、広告との関連付けをおこなうことにより、広告主の広告等の情報を会員に無駄なく提供することを特徴とする情報提供装置。
【請求項２】
指定した複数の画像を顧客提供機器にて特定し、情報を観覧させる事で、場所を提供した側と、情報を観覧したものにインセンティブを管理する手段とを兼ね備えたことを特徴とする請求項１記載の情報提供装置。
【請求項３】
インセンティブを管理する上で、画像の設置場所を特定することで情報を観覧したものを特定しインセンティブを発生させることを特徴とする請求項２記載の情報提供装置。
【請求項４】
受け取り側の持つ顧客提供機器に、個人情報をもたせ、広告との関連付けをおこなうことにより、広告主の広告等の情報を会員に無駄なく提供することを特徴とする情報提供方法。
【発明の詳細な説明】
【技術分野】
【０００１】
本発明は、広告などの情報を発信する際に好適に用いられる情報提供装置及び情報提供方法に関する。
【背景技術】
【０００２】
広告などの情報を発信する方法として、はがきによるダイレクトメールでの情報発信、テレビ、ラジオなどの無差別情報発信が従来から行われている。また、近時、インターネットの普及に伴い、電子メールによる情報発信（例えば、特許文献１参照）や、情報提供者のホームページに掲載されたバナー広告による情報発信方法が導入されている。はがきや電子メールの場合、広告主は自ら保有する顧客メーリングリスト宛に発信することや、メーリングリストを独自に保有する業者に委託するなどして情報発信が行われている。一方、バナー広告の場合はより多数の利用者によるバナークリックを期待して、観覧頻度の高いホームページにバナー広告を掲載することによって情報の発信を行うようにしている。
【０００３】
また、テレビ、ラジオの場合は、広告主より広告費を徴収し、無差別に無料の広告を発信するという手段を取っている。
【先行技術文献】
【特許文献】
【０００４】
【特許文献１】特開２０１１−１８１３９号公報
【発明の概要】
【発明が解決しようとする課題】
【０００５】
しかし、上記のような広告は受け取る側への押し売り情報となる恐れがある。近時、ビデオデッキの進化、インターネットの進化に伴い、受け取り側は情報を選ぶ行動に出ることが多く、新規顧客の獲得に結びにくいものとなっている。また、押し売り情報となる場合は、受け取り側では不快な情報ととらえられることが多くなって来た。
【０００６】
本発明は、このような不具合を解消し、広告主からの提供情報を効果的に発信し効率的な顧客獲得を実現し、顧客、広告主にとって利便性の高い顧客提供装置および情報提供方法を提供することを主たる目的とする。
【０００７】
また広告主の提供情報が押し売り情報にならず、不快な情報ととらえられない、有効な情報と認知される情報提供を行う事を主たる目的としたものである。
【課題を解決するための手段】
【０００８】
請求項１に記載の発明は、受け取り側の持つ顧客提供機器に、個人情報をもたせ、広告との関連付けをおこなうことにより、広告主の広告等の情報を会員に無駄なく提供することを特徴とする。
【０００９】
請求項２に記載の発明の顧客提供装置は、インセンティブを管理する上で、画像の設置場所を特定することで情報を観覧したものを特定しインセンティブを発生させることを特徴とする
【００１０】
請求項３に記載の発明の顧客提供装置は、インセンティブを管理する上で、画像の設置場所を特定することで情報を観覧したものを特定しインセンティブを発生させることを特徴とする。
【００１１】
請求項４に記載の発明の情報提供方法は、受け取り側の持つ顧客提供機器に、個人情報をもたせ、広告との関連付けをおこなうことにより、広告主の広告等の情報を会員に無駄なく提供することを特徴とする
【発明の効果】
【００１２】
本発明の請求項１、４によれば、広告を無差別、もしくは、押し売りで発信していた広告などを、受け取る側が積極的に顧客提供機器を利用し、広告主の提供情報を取得するシステムであり、顧客、広告主にとって利便性の高い。
【００１３】
また、本発明の請求項２によれば、受け取る側が利用した際、受け取り側はポイントまたは等価などのインセンティブ情報を発生させることとしているものであり、顧客にとって利便性の高い。
【００１４】
本発明の請求項３によれば、情報を発信する場所を自由に設定することができ、情報を発信する場所を確保した側へもポイントまたは、等価などのインセンティブ情報を発生させることとしており、広告主にとって利便性の高い。
【図面の簡単な説明】
【００１５】
【図１】本発明の実施形態に係る広告判別の流れを示すフローチャート。
【図２】本発明の実施形態に係る複数認識判別の流れを示すフローチャート。
【図３】本発明の実施形態に係る設置場所インセンティブ流れを示すフローチャート。
【図４】本発明の実施形態に係る全体構成図。
【発明を実施するための形態】
【００１６】
以下、図面を参照して、本発明に従う情報提供装置及び情報提供方法を説明する。
【００１７】
本発明は押し売り的な情報提供にならないように、図１のような仕組みを取り、受け取る側の情報を会員情報として取得する。また、受け取る側の興味がある項目の広告を提供する為、受け取る側の興味ある項目を取得する。受け取る側より観覧要求が来たとき、取得した会員情報、興味のある項目に合わせ、広告を選択。受け取り側はその広告を観覧することが出る。また、広告主には、観覧された人数や履歴などの情報を提供することができるように累計をとる。
【００１８】
また、図２のように、顧客情報端末はひとつの画像を認識するだけでなく、複数の画像、複数の固形物などを図1のように本発明が稼働するようにできる。また、処理を行うことで、ポイントまたは、等価などのインセンティブ情報を発生させる。
【００１９】
本発明は、場所を提供した側へも図３のように受け取る側と一緒にポイントまたは、等価などのインセンティブ情報を発生させる。
【００２０】
本発明は、同じ画像を認識しても、図１で取得した情報をもとに受け取る側で観覧できる提供情報が違う事が特徴であるが、それは、顧客提供機器が画像や固形物を認識するとき、サーバーの画像マスタと比較して画像を認識する。
【００２１】
次に、受け取る側の情報とその時点の緯度経度情報と広告情報マスタの緯度経度情報を比較して、誰がどこに設置されている画像を観覧しているのかを識別し認識する。
【００２２】
サーバーが認識した情報をもとに、提供情報を受け取り側に発信する。
【００２３】
提供情報が終了すると本発明は次に懸賞マスターを確認し、受け取り側に懸賞の合否を発進する
【００２４】
懸賞の合否の発信後、本発明ははじめに選択した提供情報にもとづき、割引マスタ、ECサイト、商品マスタ、店舗マスタなどを駆使し、受け取り側に、広告主の提供情報の店舗への誘導、割引券の発行、通販サイトヘの誘導などを実施し、サービスを提供する。
【００２５】
提供された情報に対して流通がおこれば、場所を提供した側、受け取り側に対して、ポイントまたは、等価などのインセンティブ情報を発生させる。
【００２６】
また、上記実施形態においては、本発明は係る実施形態の構成に限定されず、その趣旨を逸脱しない範囲内で種々変形が可能である。
【符号の説明】
【００２７】
１  顧客提供機器
２  サーバー
【図１】
2014203209.tif 000003
【図２】
2014203209.tif 000004
【図３】
2014203209.tif 000005
【図４】
2014203209.tif 000006